【事件の表示】
　国際登録第７５１０２６号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲（１）のとおりの構成からなり、第１類、第３類、第４類、第６類、第７類、第８類、第９類、第１６類、第１７類、第２０類、第２１類及び第２２類に属する国際登録において指定された商品を指定商品として、２００３年（平成１５年）４月２４日を事後指定の日とするものである。
　そして、指定商品については、原審における平成１６年５月１０日付け提出の手続補正書及び２００４年１１月１８日付けで国際登録簿に記録された限定の通報があった結果、第１類「Ｍｅｔａｌ　ｔｅｍｐｅｒｉｎｇ　ａｎｄ　ｓｏｌｄｅｒｉｎｇ　ｐｒｅｐａｒａｔｉｏｎｓ．」、第３類「Ｓｃｏｕｒｉｎｇ　ｐｒｅｐａｒａｔｉｏｎｓ，ａｂｒａｓｉｖｅ　ｐａｐｅｒ．」、第４類「ｌｎｄｕｓｔｒｉａｌ　ｏｉｌｓ　ａｎｄ　ｇｒｅａｓｅ；ｌｕｂｒｉｃａｎｔｓ．」、第６類「Ｓｔａｐｌｅｓ　ａｎｄ　ｎａｉｌｓ　ｆｏｒ　ｓｔａｐｌｅｒｓ，ｎａｉｌｓ，ｓｃｒｅｗｓ，ｒｉｖｅｔｓ，ｈｏｏｋｓ　ａｎｄ　ｆａｓｔｅｎｅｒｓ，ｐｉｎｓ，ｗａｓｈｅｒｓ，ｃｏｔｔｅｒｓ，ｃｈａｉｎｓ，ｗｉｒｅ　ｏｆ　ｃｏｍｍｏｎ　ｍｅｔａｌ　ａｌｌｏｙｓ，ｍｅｔａｌ　ｃａｂｌｅｓ（ｎｏｎ−ｅｌｅｃｔｒｉｃ），ｍｅｔａｌ　ｔｏｏｌ　ｈａｎｄｌｅｓ，ｔｏｏｌ　ｂｏｘｅｓ，ｔｏｏｌ　ｃｈｅｓｔｓ（ａｌｌ　ｔｈｅ　ａｂｏｖｅ　ｐｒｏｄｕｃｔｓ　ｍａｄｅ　ｏｆ　ｍｅｔａｌ）．」、第８類「Ｈａｎｄ−ｏｐｅｒａｔｅｄ　ｈａｎｄ　ｔｏｏｌｓ，ｉｎｃｌｕｄｉｎｇ　ｃｕｔｔｉｎｇ，ｓｅｐａｒａｔｉｎｇ　ａｎｄ　ｈａｍｍｅｒｉｎｇ　ｔｏｏｌｓ，ｓａｗｓ，ｆｉｌｅｓ，ｐｌｉｅｒｓ，ｓｃｒｅｗｄｒｉｖｅｒｓ，ｓｐａｎｎｅｒｓ，ｔｏｎｇｓ，ｃｈｉｓｅｌｓ，ｐｌａｎｅｓ，ｄｒｉｌｌｓ，ｅｍｂｏｓｓｉｎｇ　ｔｏｏｌｓ，ｂｌａｄｅ　ｓｈａｒｐｅｎｅｒｓ，ｓｅｔｓ　ｏｆ　ｂｏｘ　ｓｐａｎｎｅｒｓ，ｈａｍｍｅｒｓ，ａｘｅｓ，ｔｉｌｅ−ｃｕｔｔｉｎｇ　ａｐｐａｒａｔｕｓ，ｔｒｏｗｅｌｓ，ｍａｎｕａｌ　ｓｔａｐｌｅｒｓ，ｒｉｖｅｔｉｎｇ　ｔｏｎｇｓ，ｃｕｔｔｅｒｓ　ａｎｄ　ｂｌａｄｅｓ，ｓｐａｔｕｌａｓ，ｓｈｅａｒｓ；ｓｐａｔｕｌａｓ　ｆｏｒ　ｐａｉｎｔｅｒｓ；ｈａｎｄ　ｏｐｅｒａｔｅｄ　ｃｌａｍｐｉｎｇ　ａｎｄ　ｓｕｐｐｏｒｔ　ｄｅｖｉｃｅｓ，ｉｎｃｌｕｄｉｎｇ　ｓｔｏｎｅ　ｃａｒｒｙｉｎｇ　ｄｅｖｉｃｅｓ，ｗｏｒｋｐｉｅｃｅ　ｈｏｌｄｅｒｓ．」、第９類「Ｍｅａｓｕｒｉｎｇ　ａｐｐａｒａｔｕｓ，ｉｎｃｌｕｄｉｎｇ　ｔａｐｅ　ｍｅａｓｕｒｅｓ，ｒｕｌｅｓ，ｓｑｕａｒｅｓ，ｐｒｏｔｒａｃｔｏｒｓ，ｓｐｉｒｉｔ　ｌｅｖｅｌｓ，ｇａｕｇｅｓ；ｍｅｔａｌ　ｄｅｔｅｃｔｏｒｓ；ｔｈｅｒｍｏｍｅｔｅｒｓ；ｅｌｅｃｔｒｉｃ　ｓｏｌｄｅｒｉｎｇ　ｂｉｔｓ；ｐｒｏｔｅｃｔｉｖｅ　ｍａｓｋｓ，ｐｒｏｔｅｃｔｉｖｅ　ｇｌｏｖｅｓ，ｋｎｅｅ　ｐｒｏｔｅｃｔｏｒｓ．」、第１６類「Ｔｏｏｌｓ　ｆｏｒ　ｐａｉｎｔｅｒｓ，ｉｎｃｌｕｄｉｎｇ　ｐａｉｎｔｂｒｕｓｈｅｓ，ｐａｉｎｔ　ｒｏｌｌｅｒｓ，ｂｒｕｓｈｅｓ；ａｒｔｉｓｔｓ’ｓｕｐｐｌｉｅｓ；ａｄｈｅｓｉｖｅ　ｔａｐｅｓ　ｆｏｒ　ｓｔａｔｉｏｎｅｒｙ　ｏｒ　ｈｏｕｓｅｈｏｌｄ　ｐｕｒｐｏｓｅｓ．」、第１７類「Ｉｎｓｕｌａｔｉｎｇ　ｇｌｏｖｅｓ，ａｄｈｅｓｉｖｅ　ｔａｐｅｓ　ｆｏｒ　ｃｒａｆｔｗｏｒｋ，ｈｏｓｅ　ｐｉｐｅｓ．」、第２０類「Ｔｏｏｌ　ｃａｂｉｎｅｔｓ，ｂｏｌｔｓ　ａｎｄ　ｒｉｖｅｔｓ，ｔｏｏｌ　ｈａｎｄｌｅｓ，ｗｏｒｋｂｅｎｃｈｅｓ，ｔｒａｎｓｐｏｒｔａｔｉｏｎ　ｐａｌｌｅｔｓ（ｎｏｎｅ　ｏｆ　ｔｈｅ　ａｆｏｒｅｓａｉｄ　ｇｏｏｄｓ　ａｒｅ　ｍａｄｅ　ｏｆ　ｍｅｔａｌ）．」、第２１類「Ｂｒｏｏｍｓ，ｂｒｕｓｈｅｓ　ｆｏｒ　ｆｏｏｔｗｅａｒ，ｂｒｕｓｈｅｓ　ｆｏｒ　ｐｅｔｓ，ｃｌｏｔｈｅｓ　ｂｒｕｓｈｅｓ，ｄｉｓｈｗａｓｈｉｎｇ　ｂｒｕｓｈｅｓ，ｌａｍｐ−ｇｌａｓｓ　ｂｒｕｓｈｅｓ，ｎａｉｌ　ｂｒｕｓｈｅｓ，ｓｃｒｕｂｂｉｎｇ　ｂｒｕｓｈｅｓ，ｓｈａｖｉｎｇ　ｂｒｕｓｈｅｓ，ｔｏｉｌｅｔ　ｂｒｕｓｈｅｓ［ｎｏｎ−ｅｌｅｃｔｒｉｃ］，ｗａｓｈｉｎｇ　ｂｒｕｓｈｅｓ，ｓｔｅｅｌ　ｗｏｏｌ，ｓｐｏｎｇｅｓ　ｆｏｒ　ｈｏｕｓｅｈｏｌｄ　ｐｕｒｐｏｓｅｓ，ｒｕｂｂｅｒ　ｇｌｏｖｅｓ；ｇａｒｄｅｎｉｎｇ　ｇｌｏｖｅｓ，ｐｌａｎｔ　ｐｏｔｓ，ｓｔａｎｄｓ　ｆｏｒ　ｐｌａｎｔｓ　ａｎｄ　ｆｌｏｗｅｒｓ；ｅｑｕｉｐｍｅｎｔ　ｆｏｒ　ｓａｎｉｔａｒｙ　ｉｎｓｔａｌｌａｔｉｏｎｓ，ｎａｍｅｌｙ　ｔｏｗｅｌ　ｈｏｌｄｅｒｓ　ｎｏｔ　ｏｆ　ｐｒｅｃｉｏｕｓ　ｍｅｔａｌ　ｏｒ　ｃｏａｔｅｄ　ｔｈｅｒｅｗｉｔｈ，ｓｏａｐ　ｄｉｓｈｅｓ，ｓｏａｐ　ｄｉｓｐｅｎｓｅｒｓ，ｓｏａｐ　ｈｏｌｄｅｒｓ，ｔｏｏｔｈｂｒｕｓｈ　ｍｕｇｓ，ｔｏｏｔｈｂｒｕｓｈ　ｍｕｇ　ｈｏｌｄｅｒｓ，ｔｏｉｌｅｔ　ｐａｐｅｒ　ｈｏｌｄｅｒｓ．」及び第２２類「Ｒｏｐｅｓ，ｓｔｒｉｎｇｓ，ｎｅｔｓ．」とされたものである。
２　引用商標
　原査定において、本願の拒絶の理由に引用した登録第２１６０１１号商標（以下「引用商標１」という。）は、「ＬＵＸ」の欧文字を横書きしてなり、昭和４年９月９日登録出願、第６９類に属する商標登録原簿に記載のとおりの商品を指定商品として、同５年５月１６日に設定登録、５度にわたる商標権の存続期間の更新登録がされ、その後、平成１４年６月５日に指定商品を第７類「電動機（陸上の乗物用の交流電動機及び直流電動機（その部品を除く。）を除く。），発電機，家庭用食器洗浄機，家庭用電気洗濯機，家庭用電気掃除機，家庭用電気式床磨き機」、第９類「回転変流機，整流器，周波数変換機，変圧器，開閉器，電流制限器，電流制御器，抵抗器，蓄電器，電池，電気測定器，被覆電線，電鈴，真空管，Ｘ線管，電気炉電極」、第１０類「電気医療器（家庭用電気あんま器・家庭用電気マッサージ器を除く。），家庭用電気マッサージ器，家庭用電気あんま器」、第１１類「電気炉，電気カーペット，電気がま，電気こんろ，電気暖房器，電気布団，家庭用電気湯沸かし器，扇風機，電気冷蔵庫，電気冷凍庫，アーク灯」、第１２類「陸上の乗物用の電動機（その部品を除く。）」及び第１７類「電気絶縁材料」とする書換登録がされたものである。
　同じく、登録第２７１５７０４号商標（以下「引用商標２」という。）は、「ＬＵＸ」の欧文字と「ラックス」の片仮名文字とを上下二段に横書きしてなり、平成２年８月３日登録出願、第２３類「時計、眼鏡、これらの部品及び附属品」を指定商品として、同８年８月３０日に設定登録されたものである。
　同じく、登録第３２０３７７８号商標（以下「引用商標３」という。）は、別掲（２）のとおりの構成からなり、平成４年７月３０日登録出願、第９類「電気アイロン，電気掃除機，家庭用電気床磨き機，家庭用カ−ペット洗浄機」を指定商品として、同８年９月３０日に設定登録されたものである。
　同じく、登録第３２１７６５３号商標（以下「引用商標４」という。）は、別掲（２）のとおりの構成からなり、平成４年７月３０日登録出願、第１１類「電気冷蔵庫，電気冷凍庫，電気レンジ，電気オーブン，家庭用換気扇」を指定商品として、同８年１０月３１日に設定登録されたものである。
　同じく、登録第３３１５３２５号商標（以下「引用商標５」という。）は、「ＬＵＸ」の欧文字を横書きしてなり、平成６年４月２８日登録出願、第９類「眼鏡」を指定商品として、同９年５月３０日に設定登録されたものである。
　同じく、登録第４２９６２１０号商標（以下「引用商標６」という。）は、別掲（２）のとおりの構成からなり、平成７年１０月６日登録出願、第９類「電気掃除機用紙製ごみ袋，電気掃除機用フィルター」を指定商品として、同１１年７月１６日に設定登録されたものである。
　同じく、登録２２０６８６２号の１商標（以下「引用商標７」という。）は、「ＲＡＸ」の欧文字を横書きしてなり、昭和４８年３月３日登録出願、第９類に属する商標登録原簿に記載のとおりの商品を指定商品として、平成２年１月３０日に設定登録、同１１年８月３１日に商標権の存続期間の更新登録がされ、その後、指定商品中、「パチンコ用自動玉賃機及びその他の自動販売機，パチンコ玉の個数計数機，ゲームメダルの枚数計数機械，パチンコ玉の補給・循環装置，遊園地用機械器具，及びその類似商品」、「浄水装置、汚水浄化槽、し尿処理槽、水質汚濁防止装置、及びその類似商品」及び「洗たく機及びその類似商品」については、その登録を取り消すとの審決がそれぞれ確定し、それらの登録が、同１２年９月２０日、同１３年１０月３日及び同１４年６月１９日にされ、かつ、本商標権に係る指定商品中より、「機械要素」を登録２２０６８６２号の２商標に分割移転するとの登録が同１３年１０月１２日にされたものである。
　同じく、登録２２０６８６２号の２商標（以下「引用商標８」という。）は、「ＲＡＸ」の欧文字を横書きしてなり、昭和４８年３月３日登録出願、平成２年１月３０日設定登録の登録２２０６８６２号商標に係る指定商品中、第９類「機械要素」についての登録が同１３年１０月１２日に分割移転されたものである。
　同じく、登録第２２９４１３２号商標（以下「引用商標９」という。）は、「ＬＡＸ」の欧文字と「ラックス」の片仮名文字とを上下二段に横書きしてなり、昭和５８年１２月９日登録出願、第３４類に属する商標登録原簿に記載のとおりの商品を指定商品として、平成２年１２月２６日に設定登録、同１３年１月１６日に商標権の存続期間の更新登録がされ、その後、同年１１月７日に指定商品を第１類「原料プラスチック，パルプ」、第１７類「プラスチック基礎製品，ゴム，岩石繊維製防音材（建築用のものを除く。），石綿の板，石綿の粉」、第１８類「原革，原皮，なめし皮，毛皮」、第１９類「無機繊維の板及び粉（石綿製のものを除く。），石こうの板，鉱さい」、第２０類「きょう木，しだ，竹，竹皮，つる，とう，木皮，あし，い，おにがや，すげ，すさ，麦わら，わら，きば，鯨のひげ，甲殻，人工角，ぞうげ，角，歯，べっこう，骨，さんご」、第２１類「ブラシ用豚毛」、第２２類「おがくず，カポック，かんなくず，木毛，もみがら，ろうくず，牛毛，人毛，たぬきの毛，豚毛（ブラシ用のものを除く。），馬毛，羽」及び第３１類「うるしの実，未加工のコルク，やしの葉」とする書換登録がされたものである。
　なお、引用登録第２６４９６０１号商標は、平成１６年６月２８日に存続期間の満了により消滅し、その抹消の登録が同１７年１月１９日にされたものである。
３　当審の判断
　上述のとおり、引用登録第２６４９６０１号商標に係る商標権は、存続期間の満了により消滅し、その抹消の登録がされているから、これにつき、本願商標が商標法第４条第１項第１１号に該当するとの拒絶の理由は、解消した。
　次に、本願商標は、その指定商品について、上記１のとおり補正及び限定通報により減縮された結果、引用商標１ないし９の各指定商品と同一又は類似の商品は、すべて削除され、互いに抵触しないものとなった。
　したがって、本願商標が商標法第４条第１項第１１号に該当するとして本願を拒絶した原査定の拒絶の理由は、解消した。
　その他、政令で定める期間内に本願について拒絶の理由を発見しない。
　よって、結論のとおり審決する。